(57)【要約】【課題】  本発明は、濾材に形成される複数のピッチを均等に保持するとともに所定の寸法に調整して濾紙山のピッチだしが可能なピッチ調整方法等を提供する。【解決手段】  本発明の濾材のピッチ調整方法等は、ひだ折りされた濾材２に形成される複数のひだ山３のピッチＰを均一に保持するとともに、濾材２を折れ線Ｌと直交する方向に縮めて規定の寸法に調整する。【選択図】      図２
2005131599.tif 000002
【特許請求の範囲】
【請求項１】
ひだ折りされた濾材に形成される複数のひだ山のピッチを均一に保持するとともに、前記濾材を折れ線と直交する方向に縮めて前記濾材を規定の寸法に調整することを特徴とする濾材のピッチ調整方法。
【請求項２】
ひだ折りされた濾材に形成される複数のひだ山のピッチを均一に保持するためのピッチ保持工程と、
前記複数のひだ山のピッチを均一に保持しつつ、前記濾材を折れ線と直交する方向に縮めて規定の寸法に調整するための濾材幅調整工程と、
を具備することを特徴とする濾材のピッチ調整方法。
【請求項３】
ひだ折りされた濾材を折れ線方向に移動するための移動手段と、
前記濾材に形成される複数のひだ山に対応する支持体と、前記支持体を支持する基台と、
前記各ひだ山のピッチを均一に保持しつつ、前記濾材を折れ線と直交する方向に縮めて規定の寸法に調整するための濾材幅調整手段と、
を具備することを特徴とする濾材のピッチ調整治具。
【請求項４】
前記支持体は濾材の折れ線方向に延びるように複数備えられるとともに、前記支持体の長さが前記基台の両側部から中央部に向かって徐々に短くなるように備えられていることを特徴とする請求項３に記載の濾材のピッチ調整治具。
【請求項５】
ひだ折りされた濾材に形成される複数のひだ山のピッチを広げるためのピッチ調整工程と、
前記複数のひだ山のピッチを均一に保持しつつ、吸引により前記濾材を支持するための濾材支持工程と、
前記複数のひだ山のピッチを均一に保持しつつ、前記濾材を折れ線と直交する方向に縮めて規定の寸法に調整する濾材幅調整工程と、
を具備することを特徴とする濾材のピッチ調整方法。
【請求項６】
ひだ折りされた濾材を支持するとともに一方の支持体が前記濾材の折れ線と直交する方向に移動可能な一対の支持体を備える濾材支持手段と、
前記濾材に形成される複数のひだ山に対応する支持体を備え、吸引により前記濾材の各ひだ山に前記支持体を挿入して前記濾材を吸着するための濾材吸着手段と、
前記各ひだ山のピッチを均一に保持しつつ、前記濾材を折れ線と直交する方向に縮めて規定の寸法に調整するための濾材幅調整手段と、
を具備することを特徴とする濾材のピッチ調整治具。
【発明の詳細な説明】
【技術分野】
【０００１】
本発明は、フィルタの製造工程における、ひだ折りされた濾材のピッチ出しの機械化、自動化に関する。
【背景技術】
【０００２】
通常、フィルタは、折り加工機等によって濾材を所定の幅にひだ折りして形成し、ひだ折りした濾材を規定の寸法に成形された所定の治具に装着し、所定の枠に当該濾材を装着してフィルタを形成している。その際、従来は、ひだ折りした濾材を所定の治具に装着する工程を手動で行っていた。
【０００３】
濾材を所定の治具に装着する工程においては、図７に示すように、治具３５上に備えられている複数の突出部３５ａ、３５ａ、…、３５ａにひだ折りされた濾材３６の１山毎を図上１〜７のように順番にセットしていた。
【発明の開示】
【発明が解決しようとする課題】
【０００４】
しかし、作業が手作業であるため、作業者の変更による工数のバラツキや、慣れ、不慣れによる工数のバラツキを生じるという問題点がある。
【０００５】
そこで、本発明は、濾材に形成される複数のピッチを均等に保持するとともに所定の寸法に調整して濾紙山のピッチ出しが可能な濾材のピッチ調整方法、及びその治具を提供することを目的とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
本発明の濾材のピッチ調整方法は、ひだ折りされた濾材（２）に形成される複数のひだ山（３）のピッチ（Ｐ）を均一に保持するとともに、前記濾材を折れ線（Ｌ）と直交する方向に縮めて前記濾材を規定の寸法に調整することを特徴とする。
【０００８】
また、本発明の濾材のピッチ調整方法は、ひだ折りされた濾材に形成される複数のひだ山のピッチを均一に保持するためのピッチ保持工程と、前記複数のひだ山のピッチを均一に保持しつつ、前記濾材を折れ線と直交する方向に縮めて規定の寸法に調整するための濾材幅調整工程と、を具備することを特徴とする。
【０００９】
また、本発明の濾材のピッチ調整治具（５）は、ひだ折りされた濾材を折れ線方向に移動するための移動手段（１５）と、前記濾材に形成される複数のひだ山に対応する支持体（７）と、前記支持体を支持する基台（６）と、前記各ひだ山のピッチを均一に保持しつつ、前記濾材を折れ線と直交する方向に縮めて規定の寸法に調整するための濾材幅調整手段（１１、１２）と、を具備することを特徴とする。また、前記支持体は濾材の折れ線方向に延びるように複数備えられるとともに、前記支持体の長さが前記基台の両側部から中央部に向かって徐々に短くなるように備えられていることを特徴とする。
【００１０】
また、本発明の濾材のピッチ調整方法は、ひだ折りされた濾材に形成される複数のひだ山のピッチを広げるためのピッチ調整工程と、前記複数のひだ山のピッチを均一に保持しつつ、吸引により前記濾材を支持するための濾材支持工程と、
前記複数のひだ山のピッチを均一に保持しつつ、前記濾材を折れ線と直交する方向に縮めて規定の寸法に調整する工程と、を具備することを特徴とする。
【００１１】
また、本発明の濾材のピッチ調整治具（２５）は、ひだ折りされた濾材を支持するとともに一方の支持体が前記濾材の折れ線と直交する方向に移動可能な一対の支持体（２６、２６ａ）を備える濾材支持手段（２７）と、前記濾材に形成される複数のひだ山に対応する支持体（２８）を備え、吸引により前記濾材の各ひだ山に前記支持体を挿入して前記濾材を吸着するための濾材吸着手段（２９）と、前記各ひだ山のピッチを均一に保持しつつ、前記濾材を折れ線と直交する方向に縮めて規定の寸法に調整するための濾材幅調整手段（３０、３１）と、を具備することを特徴とする。
【００１２】
この発明によれば、ひだ折りされた濾材を、濾材に形成される複数のピッチを均一に保持するとともに所定の寸法に調整できるので濾紙山のピッチ出しが可能であるとともに、濾材を設置する治具等の大きさに柔軟に対応できる。また、従来、手作業で行っていた工程を自動化、又は機械化できるので、作業者による工数の影響をうけないため、生産数が安定する。更に、フィルタの製造における自動化、又は機械化が可能となり、省人対応が可能である。
【発明を実施するための最良の形態】
【００１３】
以下、本発明である濾材のピッチ調整方法、及び治具に係る各実施の形態について詳細に説明する。
【００１４】
−第１の実施形態−
図１は濾材の斜視図、図２は本実施形態に係る濾材のピッチ調整治具の全体構造図、図３は支持体の配置例、図４は支持体と濾材との関係を示す図、図５は本実施形態における濾材のピッチ調整治具の動作を示し、図５（ａ）は濾材設置図、図５（ｂ）は濾材移動図、図５（ｃ）はピッチ調整図である。
【００１５】
本発明の濾材２のピッチ調整治具５は、所定の折り幅ａでひだ折りされた濾材２に形成される複数のひだ山３、３、…、３のピッチＰを均一に保ちつつ、濾材２の幅Ｓを規定寸法に調整して、濾紙山のピッチ出しを行うものである。
【００１６】
図１に示すように、濾材２は、濾紙、不織布等を一方向に沿って、所定幅ａ分だけ繰り返しひだ折りして形成される。これにより、濾材２の折れ線Ｌ方向の端面２ｂには所定のピッチＰを有する複数のひだ山３が形成される。
【００１７】
濾材２のピッチ調整治具５は、図２に示すように、濾材２を載置するための領域（以下、「濾材の載置領域」と称する。）６ａを有する第１の基台６とその第１の基台６上に備えられる濾材２の複数のひだ山３に挿入してピッチＰを均一に保ちつつ濾材２を支持するための複数の支持体７、７、…７を備える濾材支持部８と、第１の基台６と並べて設けられる第２の基台１１とその第２の基台１１上に備えられる支持体１２、１２、…、１２（図５（ａ）参照）と、濾材２を第１の基台６から第２の基台１１へと移動するための移動装置１５（図５（ａ）参照）と、を備える。
【００１８】
第１、及び第２の基台６、１１上に備えられている支持体７、１２は濾材２の折れ線Ｌ方向に延びるように備えられている。また支持体７、１２の数、又は間隔は、濾材２のひだ山３に対応して備えられている。
【００１９】
また、第１の基台６の両側端に備えられている支持体７は、濾材２の載置領域６ａまで延びている。この支持体７は、濾材２のひだ折り方向両端部のひだ山３に挿入されて、濾材２の位置決めがされる。
【００２０】
また、第１の基台６に備えられている支持体７の長さは、第１の基台６の両側部から中央部に向かって所定の距離ｄだけ徐々に短くなるように備えられている。
【００２１】
また、図４に示すように、濾材２と対向する支持体７の先端は、所定の角度θを有する斜面を有する。また、支持体７の高さｈは、濾材２の所定幅ａよりも若干高く形成されている。また、所定の距離ｄとは、少なくとも濾材２が支持体７の斜面を介して支持体７に完全に乗りあげるまでの距離ｄである。このようにすれば、支持体７に濾材２の各ひだ山３をスムースに挿入することができる。
【００２２】
また、支持体１２を備える第２の基台１１は、例えば、第２の基台１１の伸縮にともなって、その基台１１上に備えられている支持体１２間も伸縮するものである。これにより、濾材２に形成される複数のピッチＰを均一に保持しつつひだ折り方向に縮めて濾材の幅Ｓを規定の寸法に調整することが可能となる。
【００２３】
また、移動装置１５は、移動体１６と、その移動体１６と接続し、第１の基台６上でスライドさせるためのロッド１７ａを有するシリンダ１７と、を備える。このシリンダ１７によってロッド１７ａを伸縮し、移動体１６を第１の基台６上をスライド移動させる。また、移動体１６は、第１の基台６に備えられている支持体７と対応する位置に切り込み１６ａを備えている。この切り込み１６ａにより移動体１６は、第１の基台６の端部までスライド移動し、濾材２を第２の基台１１に移動できる。
【００２４】
また、移動装置１５は、本発明の移動手段を構成し、第２の基台１１と第２の基台１１上に備えられている支持体１２は本発明の濾材幅調整手段を構成する。
【００２５】
本実施形態におけるピッチ調整治具の動作について図５を用いて説明する。
【００２６】
まず、図５（ａ）に示すように、例えば、図示しないひだ折り加工機によってひだ折りされた濾材２を、第１の基台６に有する濾材の載置領域６ａに載置するとともに、濾材２のひだ折り方向両端部のひだ山３、３に第１の基台６の両側部に備えられている支持体７を挿入し、濾材２を第１の基台６上に位置決めする。
【００２７】
次に、移動装置１５の駆動によって、濾材２が第１の基台６から第２の基台１１へと移動する。その際、第１の基台６において、濾材２のひだ折り方向両端部から内側に順番に第１の基台６に備えられている支持体７に濾材２の各ひだ山３が挿入される。支持体７は、濾材２の端面２ｂに形成される複数のピッチＰを均一に保持した状態で濾材２を支持する。
【００２８】
次に、図５（ｂ）に示すように、移動装置１５の駆動によって、濾材２が第２の基台１１に移動する。
【００２９】
最後に、図５（ｃ）に示すように、第２の基台１１が規定の寸法に縮められる。この動作にともなって、濾材２は、ピッチＰを均一に保持しつつひだ折り方向に縮められて濾材２の幅Ｓが規定の寸法に調整される。
【００３０】
また、規定の寸法に調整された濾材２は、所定の治具、又は金型へ移動する。
【００３１】
以上に説明したように、本発明のピッチ調整治具は、ひだ折りされた濾材２を折れ線Ｌ方向に移動するための移動装置１５と、濾材２に形成される複数のひだ山３に対応する支持体７と、支持体７を支持する第１の基台６と、各ひだ山３のピッチＰを均一に保持しつつ、濾材２を折れ線Ｌと直交する方向に縮めて規定の寸法に調整するための支持体１２を備える第２の基台１１と、を具備している。また、第１の基台６に備えられている支持体１２は濾材２の折れ線Ｌ方向に延びるように複数備えられるとともに、支持体１２の長さが第１の基台６の両側部から中央部に向かって徐々に短くなるように備えられている。
【００３２】
また、本発明のピッチ調整方法は、ひだ折りされた濾材２に形成される複数のひだ山３のピッチＰを均一に保持するためのピッチ調整工程と、複数のひだ山３のピッチＰを均一に保持しつつ、濾材２を折れ線Ｌと直交する方向に縮めて規定の寸法に調整するための濾材幅調整工程と、を具備している。
【００３３】
このようにすれば、ひだ折りされた濾材２を、濾材２に形成される複数のピッチＰを均一に保持するとともに所定の寸法に調整できるので容易に濾紙山のピッチ出しが可能であるとともに、濾材２を設置する治具等の大きさに柔軟に対応できる。
【００３４】
−第２の実施形態−
図６は本実施形態における濾材のピッチ調整治具の構造、及び動作を示し、図６（ａ）は濾材設置図、図６（ｂ）は濾材吸着図、図６（ｃ）はピッチ調整図である。なお、濾材に関しては図１と同様であるので説明を省略する。
【００３５】
本実施形態の濾材のピッチ調整治具２５は、図６に示すように、ひだ折りされた濾材２を支持するための一対の支持体２６、２６ａを備える第１の基台２７と、濾材２に形成される複数のひだ山３に対応する支持体２８を備え、吸引により濾材２の各ひだ山３に支持体２８を挿入して濾材２を吸着するための濾材吸着体２９と、濾材２に形成される複数のひだ山３に対応する支持体３０を備える第２の基台３１と、から構成される。
【００３６】
また、第１の基台２７にはひだ折りされた濾材２が載置され、第１の基台２７に備えられている支持体２６、２６ａが、濾材２のひだ折り方向両端部のひだ山３に挿入されて、濾材２の位置決めがされる。
【００３７】
第１の基台２７に備えられている支持体２６、２６ａは、例えば、略Ｌ字状に形成される。一方の支持体２６は第１の基台２７に固定される。また、他方の支持体２６ａは濾材２の折れ線Ｌと直交する方向に移動するための移動手段を備えている。移動手段としては濾材２のひだ折り方向であって第１の基台２７上をスライド移動できればどのようなものでもよい。これにより、濾材２の幅Ｓを自由に調整できる。
【００３８】
また、濾材吸着体２９、及び第２の基台３１に備えられている支持体２８、３０は濾材２の折れ線Ｌ方向に延びるように備えられている。また、支持体２８、３０の数、又は間隔等は、予め定められた濾材２のひだ山３に対応して備えられている。
【００３９】
また、第２の基台３１は、例えば、第２の基台３１の伸縮にともなって、その基台３１上に備えられている支持体３０間も伸縮するものである。これにより、ピッチを均一に保持しつつひだ折り方向に縮めて濾材２の幅を規定の寸法に調整することが可能となる。
【００４０】
また、濾材吸着体２９は、第１の基台２７から吸着した濾材２を第２の基台３１へと移動するための移動手段を備えている。
【００４１】
また、基台２７は本発明の濾材支持手段を構成し、濾材吸着体２９は本発明の濾材吸着手段を構成し、さらに、第２の基台３１と第２の基台３１上に備えられている支持体３０は本発明の濾材幅調整手段を構成する。
【００４２】
本実施形態の濾材のピッチ調整治具の動作について図６を用いて説明する。
【００４３】
まず、図６（ａ）に示すように、例えば、図示しないひだ折り加工機によってひだ折りされた濾材２が、第１の基台２７の両側部に備えられている一対の支持体２６、２６ａに濾材２のひだ折り方向両端部のひだ山３が挿入されて濾材２が第１の基台２７上に位置決めされた状態で載置される。
【００４４】
次に、移動手段によって、他方の支持体２６ａが、濾材２に形成される複数のひだ山３のピッチＰを広げる方向に移動する。これにより、濾材２が所定幅に調整される。
【００４５】
次に、図６（ｂ）に示すように、濾材吸着体２９により濾材２が吸引される。その際、濾材吸着体２９に備えられている支持体２８が対応する濾材２のひだ山３に挿入され、複数のひだ山３のピッチＰを均一に保持しつつ濾材２を支持する。
【００４６】
最後に、図６（ｃ）に示すように、濾材２のひだ山３に対応する支持体３０を備える第２の基台３１に第１の基台２７から濾材２を移動し、装着する。
【００４７】
また、第２の基台３１は規定の寸法に縮められる。この動作にともなって、濾材２は、ピッチを均一に保持しつつひだ折り方向に縮められて濾材２の幅Ｓが規定の寸法に調整される。
【００４８】
また、規定の寸法に調整された濾材２は、所定の治具、又は金型へ移動する。
【００４９】
以上に説明したように、本発明のピッチ調整治具は、ひだ折りされた濾材２を支持するとともに一方の支持体が前記濾材の折れ線と直交する方向に移動可能な一対の支持体２６、２６ａを備える第１の基台２７と、濾材２に形成される複数のひだ山３に対応する支持体２８を備え、吸引により濾材２の各ひだ山３に支持体２８を挿入して濾材２を吸着するための濾材吸着体２９と、各ひだ山３のピッチＰを均一に保持しつつ、濾材２を折れ線Ｌと直交する方向に縮めて規定の寸法に調整するための支持体３０を備える第２の基台３１と、を具備している。また、本発明のピッチ調整方法は、ひだ折りされた濾材２に形成される複数のひだ山３のピッチＰを広げるためのピッチ調整工程と、複数のひだ山３のピッチＰを均一に保持しつつ、吸引により濾材２を支持するための濾材支持工程と、複数のひだ山３のピッチＰを均一に保持しつつ、濾材２を折れ線Ｌと直交する方向に縮めて規定の寸法に調整するための濾材幅調整工程と、を具備している。
【００５０】
このようにすれば、ひだ折りされた濾材２を、濾材２に形成される複数のピッチＰを均一に保持するとともに所定の寸法に調整できるので容易に濾紙山のピッチ出しが可能であるとともに、濾材２を設置する治具等の大きさに柔軟に対応できる。
【図面の簡単な説明】
【００５１】
【図１】濾材の斜視図である。
【図２】第１の実施形態に係るピッチ調整治具の全体構造図である。
【図３】第１の実施形態に係る支持体の配置例である。
【図４】第１の実施形態に係る支持体と濾材との関係を示す図である。
【図５】第１の実施形態に係るピッチ調整治具の動作を示し、図５（ａ）は濾材設置図、図５（ｂ）は濾材移動図、図５（ｃ）はピッチ調整図である。
【図６】第２の実施形態に係るピッチ調整治具の構造、及び動作を示し、図６（ａ）は濾材設置図、図６（ｂ）は濾材吸着図、図６（ｃ）はピッチ調整図である。
【図７】従来の濾材のピッチ調整工程を示す図である。
【符号の説明】
【００５２】
２  濾材
３  ひだ山
６  基台
５、２５  濾材のピッチ調整治具
７、２６、２６ａ、２８  支持体
１１、３１  濾材幅調整手段（基台）
１２、３０  濾材幅調整手段（支持体）
１５  移動手段（移動装置）
２７  濾材支持手段（基台）
２９  濾材吸着手段（濾材吸着体）
Ｐ  ピッチ
Ｌ  折れ線
【図１】
2005131599.tif 000003
【図２】
2005131599.tif 000004
【図３】
2005131599.tif 000005
【図４】
2005131599.tif 000006
【図５】
2005131599.tif 000007
【図６】
2005131599.tif 000008
【図７】
2005131599.tif 000009